(57)【要約】  本発明は、コンパクト容器に関し、密閉部材が内容物収容部の上端を閉塞する時に、中間ケースの内周面上部に一定間隔に離間して形成された複数のシーリング突起が密閉部材の外周面に形成されたシーリング溝に結合し、内容物収容部の内部機密性を向上させることができるだけでなく、密閉部材の底面に具備する第1,2液もれ防止突起の構造を介して内容物収容部の上端を閉塞することにより、減圧テストの過程で内容物の液漏れを防止することができる。
2018514297.tif 000002
【特許請求の範囲】
【請求項１】
下部ケースと、
前記下部ケースの内側に位置し、液状の内容物が含浸された内容物吸収部材を収容する内容物収容部を具備する中間ケースと、
前記内容物収容部の上部を開閉するように、前記中間ケースとヒンジ結合し、その上部に内容物塗布部材を収納することができるように収納溝が形成された密閉部材と、そして、
前記内容物塗布部材を囲み、前記下部ケースに上下に回動できるようにヒンジ結合する上部ケースと、を含み、
前記密閉部材は、
前記内容物収容部の上端に接触し、前記内容物収容部に貯蔵した内容物の液漏れを防止するように、前記密閉部材の底面から下方向に延長されたリング形状の第1液もれ防止突起と、
前記第1液もれ防止突起の外側で前記内容物収容部の外周面を囲むように密着して形成され、前記内容物収容部に貯蔵した内容物の液漏れを防止するように、前記密閉部材の底面から下方向に延長されたリング形状の第2液もれ防止突起とを具備し、
前記密閉部材が内容物収容部の上端を閉塞する時に、前記内容物収容部の内部機密性を維持するように、前記中間ケースの内周面上部は、一定間隔に離間した複数のシーリング突起が形成され、前記密閉部材の底面には、前記第2液もれ防止突起を囲むように離間して形成され、前記複数のシーリング突起と結合するように、複数のシーリング溝が形成された結合突起を具備することを特徴とするコンパクト容器。
【発明の詳細な説明】
【技術分野】
【０００１】
本発明は、コンパクト容器に関し、より詳細には、密閉部材が内容物収容部の上端を閉塞する時に、中間ケースの内周面上部に一定間隔に離間して形成された複数のシーリング突起が密閉部材の外周面に形成されたシーリング溝に結合し、内容物収容部の内部機密性を向上させることができるだけでなく、密閉部材の底面に具備する第1,2液もれ防止突起の構造を介して内容物収容部の上端を閉塞することにより、減圧テスト過程で内容物の液漏れを防止することができるコンパクト容器に関する。
【背景技術】
【０００２】
一般的にコンパクト容器は、女性達が携帯しながら、顔化粧に使用される色調化粧品や白粉を収納して簡便に携帯することができることをいう。
【０００３】
このようなコンパクト容器は、多様な形状で提供され、どんな形状とも無関係に内容物貯蔵部に色調化粧品や白粉の内容物を収納保管し、使用の時には容器本体の前面部に具備したボタンを加圧して、外部蓋を容器本体でヒンジ回動により開いて、内部に収容されたパフやブラシなどの化粧用具を利用し、化粧品をつけて顔化粧に使用することは共通点である。
【０００４】
前記のような、従来のコンパクト容器は、内キャップを介して内容物貯蔵部の上端部を覆って内部機密性を維持するように構成され、空気が流入することをある程度、防止することは可能であるが、構造的な限界によって完璧に内部機密性を維持することができない問題があった。
【０００５】
このような問題点を解決するために、内容物貯蔵部の内部機密性を向上させることができるように構成された「コンパクト容器」が大韓民国登録特許第10-1333044号（以下、「登録特許」とする。）に開示されている。
【０００６】
前記登録特許は、内容物を貯蔵する内容物貯蔵部を収容し、内容物貯蔵部を昇降させるように、内側下端にガイド突起が形成された下部ケースと、
前記下部ケースの上部に回転可能に結合する中間ケースと、
内容物を貯蔵し、前記下部ケースに収容され、前記ガイド突起に沿って移動する回転突起が形成された内容物貯蔵部と、
前記中間ケースの上部に停止され、中間ケースの回転の時に噛み合って一緒に回転し、前記内容物貯蔵部の垂直移動をガイドする回転体と、
前記回転体の上端を開閉するように回転体の一側にヒンジ結合する密閉部材と、
前記中間ケースの一側にヒンジ結合し、ユーザー加圧によって一側または他側方向に回転し、前記中間ケースを一緒に回転させる上部ケースと、を含むことを特徴とする。
【０００７】
前記登録特許は、回転体の回転の時に、回転体のガイド溝に挿入された内容物貯蔵部の昇降突起によって、内容物貯蔵部が一緒に回転し、内容物貯蔵部が回転すると、内容物貯蔵部の下端に形成された回転突起が下部ケースのガイド突起の傾斜面に沿って移動する。これにより、内容物貯蔵部が上昇して内容物貯蔵部の上端部が密閉部材のシーリング部によって密閉が行われるように構成される。
【０００８】
しかし、前記のような構造で成された登録特許は、内容物貯蔵部の内部機密性を向上させるための構造が非常に複雑で、製造時間の増加はもちろん、容器自体の単価上昇をもたらす問題があった。
【０００９】
一方、最近になって、前記のようなコンパクト容器内部に液状の内容物を貯蔵したり、液状の内容物が含浸された発泡ウレタンフォームを収容したりする場合が増加している中に、密閉構造による内部機密性の問題によって、減圧テスト過程で内容物貯蔵部に貯蔵した内容物の液漏れが発生するなどの問題を解決するための多様な密閉構造が開発されている。
【発明の概要】
【発明が解決しようとする課題】
【００１０】
本発明は、上述した問題点を解決するために考案されたもので、本発明の目的は、密閉部材が内容物収容部の上端を閉塞する時に、中間ケースの内周面上部に一定間隔に離間して形成された複数のシーリング突起が密閉部材の外周面に形成されたシーリング溝に結合し、内容物収容部の内部機密性を向上させることができるだけでなく、密閉部材の底面に具備した第1,2液もれ防止突起の構造を介して、内容物収容部の上端を閉塞することにより、減圧テスト過程で内容物の液漏れを防止することができるコンパクト容器を提供するものである。
【課題を解決するための手段】
【００１１】
前記のような問題点を解決するために、本発明に係るコンパクト容器は、下部ケースと、
前記下部ケースの内側に位置し、液状の内容物が含浸された内容物吸収部材を収容する内容物収容部に具備した中間ケースと、
前記内容物収容部の上部を開閉するように、前記中間ケースとヒンジ結合し、その上部に内容物塗布部材を収納することができるように、収納溝が形成された密閉部材と、そして、
前記内容物塗布部材を囲み、前記下部ケースに上下に回動できるようにヒンジ結合する上部ケースと、を含み、
【００１２】
前記密閉部材が内容物収容部の上端を閉塞する時に、内容物収容部の内部機密性を維持するように、前記中間ケースの内周面上部には、一定間隔に離間した複数のシーリング突起が形成され、前記密閉部材の外周面下部には、前記複数のシーリング突起と結合する複数のシーリング溝が形成されたことを特徴とする。
【００１３】
また、前記密閉部材には、前記内容物収容部の上端に接触し、前記内容物収容部に貯蔵した内容物の液漏れを防止するように、前記密閉部材の底面から下方向に延長されたリング形状の第1液もれ防止突起を具備することを特徴とする。
【００１４】
また、前記密閉部材には、前記第1液もれ防止突起の外側で前記内容物収容部の外周面を囲むように密着して形成され、前記内容物収容部に貯蔵した内容物の液漏れを防止するように、前記密閉部材の底面から下方向に延長されたリング形状の第2液もれ防止突起を具備することを特徴とする。
【００１５】
また、前記シーリング突起は、前記中間ケースの内周面に120度間隔で3個が離間して形成されたことを特徴とする。
【発明の効果】
【００１６】
以上のように、本発明によれば、密閉部材が内容物収容部の上端を閉塞する時に、中間ケースの内周面上部に一定間隔に離間して形成された複数のシーリング突起が密閉部材の外周面に形成されたシーリング溝に結合し、内容物収容部の内部機密性を向上させることができるだけでなく、密閉部材の底面に具備する第1,2液もれ防止突起の構造を介して、内容物収容部の上端を閉塞することにより、減圧テスト過程で内容物の液漏れを防止することができる長所がある。
【図面の簡単な説明】
【００１７】
【図１】本発明の好ましい実施例に係るコンパクト容器の構成を示す分解斜視図である。
【図２】本発明の好ましい実施例に係るコンパクト容器の構成を示す組立斜視図である。
【図３】本発明の好ましい実施例に係るコンパクト容器の構成を示す組立断面図である。
【図４】本発明の好ましい実施例に係るコンパクト容器のシーリング突起とシーリング溝の結合状態を示す説明図である。
【発明を実施するための形態】
【００１８】
以下、図面を参照し、本発明を詳細に説明する。各図面に提示された同一の参照符号は、同一の部材を示す。
【００１９】
図1は、本発明の好ましい実施例に係るコンパクト容器の構成を示す分解斜視図であり、図2は、本発明の好ましい実施例に係るコンパクト容器の構成を示す組立斜視図である。
【００２０】
図3は、本発明の好ましい実施例に係るコンパクト容器の構成を示す組立断面図であり、図4は、本発明の好ましい実施例に係るコンパクト容器のシーリング突起とシーリング溝の結合状態を示す説明図である。
【００２１】
図1〜4を参照すると、本発明の好ましい実施例に係るコンパクト容器は、下部ケース100、中間ケース200、密閉部材300、上部ケース400を含む。
【００２２】
下部ケース100は、内容物収容部210を具備した中間ケース200を収容するものであり、その前面部には上部ケース400の開閉のためのボタン部110が結合される。
【００２３】
ボタン部110は、下部ケース100の前面部に結合し、普段は上部ケース400が開放されることを防止してから、ユーザーがボタン部110を加圧の時に、内側方向に移動して、上部ケース400の開放を可能にするために、ボタン部110の上部には、上部ケース400が閉塞している時に、上部ケース400の係止突起を支持して、上部ケース400が開放されることを防止するための係止部が形成される。
【００２４】
中間ケース200は、下部ケース100の内側に位置し、液状の内容物が含浸された内容物吸収部材211を収容するように、その内部に内容物収容部210を具備するものとして、内容物吸収部材211は、液状の内容物が含浸されることができるパフ、スポンジ、フォーム（foam）、ブラシなど、多様な種類で構成されることができ、好ましくは、内容物の吸収が容易い多孔性製品で構成されることがよい。
【００２５】
一方、本発明において、中間ケース200には、後述する密閉部材300が内容物収容部210の上端を閉塞する時に、内容物収容部210の内部機密性が維持されるように、その内周面上部に一定間隔に離間された複数のシーリング突起220が形成されたことが特徴として、シーリング突起220は、密閉部材300のシーリング溝361と結合し、内容物収容部210の内部機密性を維持するために、密閉部材300との安定的な結合ができるように、図4に示すよう、前記中間ケースの内周面に120度間隔で3個が離間して形成されることが好ましい。
【００２６】
また、内容物収容部210の内側には、内容物吸収部材211を固定させるように内容物吸収部材211を囲む固定管230が結合し、固定管230の上部には、内容物吸収部材211の上端を支持し、内容物吸収部材211が内容物収容部210から離脱することを防止するように内側方向に固定部231が形成される。
【００２７】
密閉部材300は、内容物収容部210の上部を開閉するように、中間ケース200にヒンジ結合するものであり、ヒンジ結合による上下回動の時に操作が容易いように、その前面部に取っ手部310が形成される。
【００２８】
また、密閉部材300の上部には、パフのような内容物塗布部材330を収納することができるように収納溝320が形成される。
【００２９】
一方、本発明において、密閉部材300の底面には、内容物収容部210に液状の内容物を収容した状態で、減圧テストの時に、内容物の液漏れが発生することを防止するように、第1液もれ防止突起340、及び、第2液もれ防止突起350を具備することが特徴として、第1液もれ防止突起340は、内容物収容部210の上端に接触し、内容物収容部210に貯蔵した内容物の液漏れを防止するように、密閉部材300の底面から下方向に延長されるリング形状で形成され、第2液もれ防止突起350は、第1液もれ防止突起340の外側で内容物収容部210の外周面を囲むように密着して形成され、内容物収容部210に貯蔵した内容物の液漏れを防止するように、密閉部材300の底面から下方向に延長されるリング形状で形成される。
【００３０】
第1液もれ防止突起340、及び、第2液もれ防止突起350は、リング状で形成され、内容物収容部210の上端、及び、外周面をそれぞれシーリング処理するように構成され、図3に示すようのように、第2液もれ防止突起350が内容物収容部210の外周面を支持することにより、減圧テストの時に、内容物収容部210が内部圧力によって外側方向に広がることを防止することができるので、内容物収容部210に貯蔵した内容物の液もれを防止することができる。
【００３１】
一方、密閉部材300の底面には、第2液もれ防止突起350を囲むように離間して形成され、中間ケース200のシーリング突起220と結合するように、複数のシーリング溝361が形成された結合突起360を具備することが特徴として、密閉部材300が内容物収容部210の上端を閉塞する時に、シーリング溝361とシーリング突起220の結合を介して内容物収容部210の内部機密性を維持することができる。
【００３２】
すなわち、前記第2液もれ防止突起350は、内容物収容部210の外周面を支持することにより、減圧テストの時に、内容物収容部210に貯蔵した内容物の液もれを防止することができるだけでなく、その外側に具備するシーリング溝361が形成された結合突起360を介して、中間ケースのシーリング突起220と結合することにより、内容物収容部210の内部機密性を維持することができる。
【００３３】
上部ケース400は、内容物塗布部材330を囲み、下部ケース100に上下に回動できるようにヒンジ結合するものであり、上方向に回動して開放位置にある時には、内容物塗布部材330の使用を可能にし、下方向に回動して閉塞位置にある時には、外部衝撃から内容物塗布部材330を保護すると同時に、収納溝320に異物が流入することを防止する。
【００３４】
上部ケース400の内側には、ユーザーが化粧の時に、化粧部位を確認することができるように鏡410を設置することが好ましい。
【００３５】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2018514297.tif 000003
【図２】
2018514297.tif 000004
【図３】
2018514297.tif 000005
【図４】
2018514297.tif 000006
【国際調査報告】
2018514297.tif 000007
2018514297.tif 000008
2018514297.tif 000009
2018514297.tif 000010